(57)【特許請求の範囲】
【請求項１】
着信相手からのメッセージの音声データをその優先順位と共に格納する記憶手段と、この記憶手段と接続され着信相手からのメッセージを録音し再生する録音／再生手段と、メッセージを優先的に再生すべき優先ダイヤルが予めその優先順位との関係で登録される優先ダイヤル登録手段と、着信相手の発呼ダイヤルを検出する発呼ダイヤル検出手段と、この発呼ダイヤル検出手段により検出された発呼ダイヤルが前記優先ダイヤル登録手段に登録された優先ダイヤルか否かを判断してその結果と優先順位とを前記録音／再生手段に伝達する判断手段とを備え、
前記録音／再生手段は優先ダイヤルに対応したメッセージが前記記憶手段に格納されている場合にはその優先順位の高いものから順に再生することを特徴とする留守録機能付電話機。
【発明の詳細な説明】
【０００１】
【発明の属する技術分野】
この発明は通信に使用される電話機に関し、詳しくは不在応答機能を有する留守録機能付電話機に関する。
【０００２】
【従来の技術】
従来より電話機には不在応答機能として、着信した相手のメッセージをアナログテープに録音し、あるいはデジタル変換した後これを記憶媒体に格納して、これを後から再生してそのメッセージを確認するという、いわゆる留守録機能がある。
【０００３】
図４は、このような留守録機能により録音されたメッセージの録音、再生の順番を示したもので、最初に録音されたメッセージ１から順次メッセージ２、３・・・５というように録音されて行く。また、再生するときはメッセージ１から録音された順にメッセージ２、３・・・５というように再生されて行く。
【０００４】
【発明が解決しようとする課題】
しかしながら、このように録音メッセージをその録音された順に再生したのでは、録音されたメッセージの中に重要なものが含まれていても、これを優先的に再生して確認することができない。すなわち、得意先や、懸案事項の返事待ち、親しい相手等の特定の相手からのメッセージが有る場合には、これを先に確認し、さほど重要ではない相手からのメッセージは後からでも良い場合がある。特に録音されているメッセージが多い場合や、再生されるメッセージの最後の方に重要なものがある場合には確認に時間がかかり、聞きもらしてしまう恐れもある。
【０００５】
このような不都合を解決する手段として、例えば特開平３−１０８８５６号公報に記載されている装置が知られている。すなわち、録音メッセージの相手の名前やメッセージの内容を文字に変換し、これを表示器に表示させ、利用者はこの文字を検索していち早く必要なメッセージを聞くことができるというものである。
【０００６】
しかし、このような構成の装置では、依然として表示器上に表示されている相手の名前などの文字を検索するための手間と時間を必要とし、検索の際に相手の名前を見落とす恐れもある。しかも相手の名前や、録音メッセージを文字に変換するための複雑な構成が必要であり、コストアップの原因となる。
【０００７】
この発明はかかる点に鑑みなされたもので、その目的とするところは、比較的簡単な構成により、再生の際に自動的に重要度の高いメッセージを先に再生することで、必要なメッセージを早く、確実に確認することのできる留守録機能付電話機を提供することにある。
【０００８】
【課題を解決するための手段】
上記課題を解決するために本発明は、着信相手からのメッセージの音声データをその優先順位と共に格納する記憶手段５と、この記憶手段５と接続され着信相手からのメッセージを録音し再生する録音／再生手段３と、メッセージを優先的に再生すべき優先ダイヤルが予めその優先順位との関係で登録される優先ダイヤル登録手段４と、着信相手の発呼ダイヤルを検出する発呼ダイヤル検出手段１と、この発呼ダイヤル検出手段１により検出された発呼ダイヤルが前記優先ダイヤル登録手段４に登録された優先ダイヤルか否かを判断してその結果と優先順位とを前記録音／再生手段３に伝達する判断手段２とを備え、前記録音／再生手段３は優先ダイヤルに対応したメッセージが前記記憶手段５に格納されている場合には優先ダイヤルの優先順位の高いものに対応したメッセージから順に再生することとした。
【０００９】
【発明の実施の形態】
次に本発明の実施の形態について説明する。図１は本発明にかかる留守録機能付電話機の基本構成を示したブロック図である。図において１は発呼ダイヤル検出装置、２は判断手段、３は録音／再生手段、４は優先ダイヤル登録手段、５は記憶手段である。
【００１０】
発呼ダイヤル検出手段１は回線から送られてくる着信相手、つまり発呼者の発呼ダイヤルを検出し、これを判断手段２に伝達する。判断手段２は発呼ダイヤル検出手段１から発呼ダイヤルを受け取ると、優先ダイヤル登録手段４に登録されている優先ダイヤルを検索し、同一の番号が登録されているか否かを調べる。
【００１１】
この優先ダイヤル登録手段４は、半導体あるいは磁気ディスク等の記憶媒体により構成され、優先的にメッセージを再生する必要のある相手のダイヤル（電話番号）を前もって登録するもので、図１に示すように優先順位１、２・・・ｎの順に優先ダイヤル（１２３４−５６７８、２３４５−６７８９・・・＊＊＊＊−＊＊＊＊ ,etc.）が登録される。なお、優先ダイヤルの登録は電話機付属の特定の機能ボタンやダイヤルボタンを用いて行うことができる。
【００１２】
そして、判断手段２は同一のダイヤルが無ければ優先ダイヤルでない旨を、同一のダイヤルが有る場合には優先ダイヤルである旨とその優先順位を録音／再生手段３に伝達する。録音／再生手段３は電話回線を介して送られてきた着信相手からのメッセージを記憶手段５に記録する。その際、優先ダイヤルのメッセージであれば、後から検索するときに容易に識別できるよう、その旨の表示と優先順位とを併せて記録する。
【００１３】
この場合、記憶手段５はテープレコーダ等のアナログ記憶媒体に直接アナログ信号として記録しても良いが、録音／再生手段３にて音声メッセージをデジタル信号に変換し、半導体、磁気ディスク、光ディスク等による記憶媒体からなる記憶手段５に記録することにより、他の必要な情報（優先順位など）の記録や検索作業、読み出し作業等がスムーズに行え便利である。このようにして、記憶手段５に記録されたメッセージは、必要なときに再び録音／再生手段３により読み出され、デジタル信号からアナログ信号に変換されて、留守録メッセージとしてスピーカＳＰや受話器等より送出される。
【００１４】
ここで、前記録音／再生手段３が録音メッセージを再生する場合について更に詳しく説明する。記憶手段５には例えば図２に示すように、メッセージ１〜５の順番でメッセージが録音（記録）されている。この録音されている各メッセージのいずれもが優先ダイヤルからのメッセージでない場合は、録音／再生手段３は図３（ａ）に示すように、記憶手段５に録音された順番に従い、メッセージ１〜５を順次再生する。
【００１５】
一方、例えばメッセージ４が上位の優先ダイヤル（図の例では、１：１２３４−５６７８）からのもので、メッセージ３が下位の優先ダイヤル（同様に、２：２３４５−６７８９）からのものであるとする。この場合には、録音／再生手段３は優先順位の高いものから再生するので、図３（ｂ）に示すように、メッセージ４、メッセージ３、メッセージ１、・・・メッセージ５というように再生して行く。
【００１６】
このようにして、優先順位の高い留守録メッセージから再生されるので、重要と思われる相手のダイヤルをその重要度、つまり優先順位に応じて登録することで、重要なメッセージを一々検索しなくとも先に確認でき、確認に要する時間ロスや確認もれの恐れが無くなる。また、特に複雑なハードウエアやソフトウエアによる構成を付加する必要もない。
【００１７】
なお、ここでは不在応答機能を備えた電話機の一般機能、例えば電話回線とのインターフェース、着信相手への対応のための機能、例えば応答メッセージの送出や留守録状態と一般受信状態との切り換え等、あるいは留守録に伴う一般的な種々の操作や制御等は便宜上省略したが、本発明を実施する装置においてもこれらの機能は必然的に備えているものであり、これら電話機に適用される周知の技術手段は、必要により取捨選択して適用可能なことはいうまでもない。
【００１８】
【発明の効果】
以上のように本発明は、比較的簡単な構成で重要度の高いメッセージを先に再生するようにしたので、必要なメッセージを一々検索しなくとも早く、確実に確認することができ、確認に要する時間のロスや確認もれの恐れがなくなるという効果を有する。
【図面の簡単な説明】
【図１】本発明にかかる留守録機能付電話機の基本構成を示したブロック図である。
【図２】メッセージ１〜５の各メッセージの録音順番を表した図である。
【図３】図２に示す順番で録音された各メッセージを再生する時の順番を表した図で、（ａ）は優先ダイヤルに対応したメッセージが何も録音されていない場合、（ｂ）はメッセージ４が上位の優先ダイヤルに対応したもので、メッセージ３が下位の優先ダイヤルに対応したものである場合の再生順番を表したものである。
【図４】従来の不在応答時における着信相手からのメッセージを録音再生する順番を表した図である。
【符号の説明】
１    発呼ダイヤル検出手段
２    判断手段
３    録音／再生手段
４    優先ダイヤル登録手段
５    記憶手段
【図１】
0004004565.tif 000002
【図２】
0004004565.tif 000003
【図３】
0004004565.tif 000004
【図４】
0004004565.tif 000005